(57)【要約】      （修正有）【課題】バイオマス原材料から、貯溜、移送が簡易な液体燃料を高効率で回収し、かつ容易に液化させることができ、さらに小型で可搬型とすることもできる燃料製造装置を提供する。【解決手段】熱媒体粒子２を加熱する熱媒体加熱部３と、加熱された熱媒体粒子２を導入する導入口４a、バイオマス原材料の投入口４bを備え、加熱された熱媒体粒子２と投入されたバイオマス原材料とを接触させ、攪拌しながら搬送することでバイオマス原材料を熱分解させ有機ガスを発生させる熱分解用搬送部４と、熱分解用搬送部４内で発生した有機ガス及び固形燃料を分離する燃料分離部５と、熱分解用搬送部４を通過した加熱された熱媒体粒子２を熱媒体加熱部３に返送する熱媒体回収部６と、燃料分離部５の下流に有機ガスを液化する液体燃料生成部７とを備えてなり、熱媒体粒子２を系内で循環使用するとともに、バイオマス原材料から液体燃料を高効率で回収する。【選択図】図１
2015105344.tif 000002
【特許請求の範囲】
【請求項１】
熱媒体粒子を加熱する熱媒体加熱部と、
前記熱媒体加熱部により加熱された熱媒体粒子を導入する導入口、前記導入口の下流側にバイオマス原材料の投入口を備え、加熱された熱媒体粒子と投入されたバイオマス原材料とを接触させ、攪拌しながら搬送することにより投入されたバイオマス原材料を熱分解させ有機ガスを発生させる熱分解用搬送部と、
前記熱分解用搬送部内で発生した有機ガス及び固形燃料を分離する燃料分離部と、
前記熱分解用搬送部を通過した前記加熱された熱媒体粒子を前記熱媒体加熱部に返送する熱媒体回収部と、
前記燃料分離部の下流に有機ガスを液化する液体燃料生成部と、
を備えてなり、
前記熱媒体粒子回収部から回収された前記熱媒体粒子を前記熱媒体加熱部に戻し、再加熱し、前記導入口から前記熱分解用搬送部に再導入し、前記熱媒体粒子を循環させるとともに、バイオマス原材料から液体燃料を高効率で回収することを特徴とする燃料製造装置。
【請求項２】
前記熱媒体粒子径が、直径５ｍｍ以下の球体であることを特徴とする請求項１に記載の燃料製造装置。
【請求項３】
前記熱媒体粒子が、金属、酸化金属、セラミックの内から選ばれる１種又は２種以上であることを特徴とする請求項１に記載の燃料製造装置。
【請求項４】
前記熱媒体回収部と前記熱媒体加熱部の間に、前記バイオマス原材料が加熱されて生成する木炭と前記熱媒体粒子を気流で分離し、前記木炭を系外に排出し、前記熱媒体粒子を前記熱媒体加熱部に返送する木炭気流分離部を備えることを特徴とする請求項１に記載の燃料製造装置。
【請求項５】
前記パイプが略水平に配置され、前記パイプ内において、前熱媒体粒子と原材料との混合物上方に発生した有機ガスの前記燃料分離部への流路となる空間を確保したことを特徴とする請求項１に記載の燃料製造装置。
【請求項６】
前記空間にキャリアーガスを送風し、有機ガス成分を前記燃料分離部に送る送風機を備え、
又は、
前記空間の有機ガスを前記燃料分離部に吸引する引き抜きポンプを備え、
前記空間へ気化した大分子量の液体燃料成分の気化成分を自然流出より短時間で前記燃料分離部へ移送することを特徴とする請求項１に記載の燃料製造装置。
【請求項７】
前記燃料分離部が、前記熱分解用搬送部の終端部に接続し、前記熱分解用搬送部で生成した有機ガスを通す流路と、
前記流路の他端に接続し、有機ガス成分と固体燃料成分とを分離し、前記気体ガス成分を冷却し液化させる液体燃料生成部に流し、前記固体燃料成分を排出するサイクロンとからなることを特徴とする請求項１に記載の燃料製造装置。
【請求項８】
前記液体燃料が、常温・常圧で、液体であることを特徴とする請求項１に記載の燃料製造装置。
【請求項９】
前記燃料製造装置が、可搬型であることを特徴とする請求項８に記載の燃料製造装置。
【請求項１０】
熱媒体粒子を加熱する第一工程と、
バイオマス原材料と第一工程を経て加熱された熱媒体粒子を混合移送しながら前記バイオマス原材料を熱分解する第二工程と、
第二工程のバイオマス原材料の熱分解により発生した有機ガスを分離する第三工程と、
第二工程を経た熱媒体粒子を第一工程に返送する第四工程と、
第三工程で分離した有機ガスを濃縮する第五工程と、
からなることを特徴とする燃料製造方法。
【請求項１１】
前記有機ガスを、キャリアーガスによって、又は吸引することで、前記第三工程が行われる位置に自然流出より短時間で移送させることを特徴とする請求項１０に記載の
燃料製造方法。
【請求項１２】
前記第二工程で発生した有機ガスの前記第二工程内の滞留時間を１０秒以下とすることを特徴とする請求項１１に記載の燃料製造方法。
【請求項１３】
前記バイオマス原材料が、木材の場合には、前記熱分解温度を、４００℃〜６００℃に制御することを特徴とする請求項１１に記載の燃料製造方法。
【発明の詳細な説明】
【技術分野】
【０００１】
本発明は、有機物、特に液体及び固体のバイオマス燃料を製造するための燃料製造装置及び燃料製造方法に関するものである。
【背景技術】
【０００２】
燃料製造装置として、特許文献１の技術が知られている。特許文献１に記載の燃料製造装置は、密閉空間を形成する垂直炉（１）の内部に、予め高温に加熱された（５００〜１１００℃）金属トロイド（２）と熱分解される有機材料（３）が投入される。垂直炉１内の熱分解によりガス化された燃料は、垂直炉１下部の排気口６から抽出され、その後、分離器１１により、熱分解された残渣から分離された金属トロイド（２）は、スクリュー１８により分離され、バーナー１８により再加熱され、エアロック５から投入される有機材料（３）とともに、再度垂直炉１に循環する、というものである。
【０００３】
その他に、特許文献２（バイオマス燃料製造装置）、３（バイオマス燃料の製造方法と製造装置）の技術も公開されている。
【先行技術文献】
【特許文献】
【０００４】
【特許文献１】特表２０１２−５２８２２２号公報
【特許文献２】特開２０１０−７７２０１号公報
【特許文献３】特開２０１０−２７５４０６号公報
【発明の概要】
【発明が解決しようとする課題】
【０００５】
特許文献１では、図５に示すように、金属トロイド（２）が、垂直炉（１）内において有機材料（３）を熱分解するための熱媒体として利用されている。しかしながら、有機材料（３）は、熱分解当初は分子量が大きく、液化しやすい状態の有機ガスであるが、垂直炉１下部の排気口６に到るまでに、５００〜１１００℃の高温に長期間曝されるため、排気口６から排出されるガスが熱分解され、常温、常圧で液化しない、低温、高圧で液化する、液化しにくい低分子量の有機ガスとなってしまうため、液化が困難になってしまう。
【０００６】
基本的には、特許文献１では、可能な限り有機材料をガス成分に分解することを基本としており、容易に液化回収することについて考慮されていない。通常、常温・常圧で気体のガス燃料は精製が困難であり、エネルギー密度の増加に圧縮が必要となり、圧力容器の使用、法的な制限があり、輸送に不向きであると言われる。一方で、常温・常圧で液体燃料はエネルギー密度が高く、輸送・貯蔵も可能であり、輸送インフラを構築しやすい。生成される液体燃料は希釈されず、中程度の発熱量（１０ＭＪ／Ｎｍ３程度）の燃料となる。
【０００７】
また、垂直炉１で熱分解を完結するため、垂直炉１の全体を５００〜１１００℃に維持する必要があり、大型の加熱炉が必要となり、大規模な設備が必要となり、設置コストが高く、ガス化された抽出ガスを液化など処理するため、大きな液化設備、設置スペースが必要となる。
【０００８】
そこで、本発明は、バイオマス原材料から、貯溜、移送が簡易な液体燃料を高効率で回収し、かつ容易に液化させることができ、さらに小型で可搬型とすることもできる燃料製造装置及び燃料製造方法を提供することを目的とする。
【課題を解決するための手段】
【０００９】
本発明は、上記課題を解決するため、
（１）
熱媒体粒子を加熱する熱媒体加熱部と、
前記熱媒体加熱部により加熱された熱媒体粒子を導入する導入口、前記導入口の下流側にバイオマス原材料の投入口を備え、加熱された熱媒体粒子と投入されたバイオマス原材料とを接触させ、攪拌しながら搬送することにより投入されたバイオマス原材料を熱分解させ有機ガスを発生させる熱分解用搬送部と、
前記熱分解用搬送部内で発生した有機ガス及び固形燃料を分離する燃料分離部と、
前記熱分解用搬送部を通過した前記加熱された熱媒体粒子を前記加熱部に返送する熱媒体回収部と、
前記燃料分離部の下流に有機ガスを液化する液体燃料生成部と、
を備えてなり、
前記熱媒体粒子回収部から回収された前記熱媒体粒子を前記熱媒体加熱部に戻し、再加熱し、前記導入口から前記熱分解用搬送部に再導入し、前記熱媒体粒子を循環させるとともに、バイオマス原材料から液体燃料を高効率で回収することを特徴とする燃料製造装置の構成とした。        
（２）
前記熱媒体粒子径が、直径５ｍｍ以下の球体であることを特徴とする（１）に記載の燃料製造装置の構成とした。
（３）
前記熱媒体粒子が、金属、酸化金属、セラミックの内から選ばれる１種又は２種以上であることを特徴とする（１）に記載の燃料製造装置の構成とした。
（４）
前記熱媒体回収部と前記熱媒体加熱部の間に、前記バイオマス原材料が加熱されて生成する木炭と前記熱媒体粒子を気流で分離し、前記木炭を系外に排出し、前記熱媒体粒子を前記熱媒体加熱部に返送する木炭気流分離部を備えることを特徴とする（１）に記載の燃料製造装置の構成とした。
（５）
前記パイプが略水平に配置され、前記パイプ内において、前熱媒体粒子と原材料との混合物上方に発生した有機ガスの前記燃料分離部への流路となる空間を確保したことを特徴とする（１）に記載の燃料製造装置の構成とした。
（６）
前記空間にキャリアーガスを送風し、有機ガス成分を前記燃料分離部に送る送風機を備え、
又は、
前記空間の有機ガスを前記燃料分離部に吸引する引き抜きポンプを備え、
前記空間へ気化した大分子量の液体燃料成分の気化成分を自然流出より短時間で前記燃料分離部へ移送することを特徴とする（１）に記載の燃料製造装置の構成とした。
（７）
前記燃料分離部が、前記熱分解用搬送部の終端部に接続し、前記熱分解用搬送部で生成した有機ガスを通す流路と、
前記流路の他端に接続し、有機ガス成分と固体燃料成分とを分離し、前記気体ガス成分を冷却し液化させる液体燃料生成部に流し、前記固体燃料成分を排出するサイクロンとからなることを特徴とする（１）に記載の燃料製造装置の構成とした。
（８）
前記液体燃料が、常温・常圧で、液体であることを特徴とする（１）に記載の燃料製造装置の構成とした。
（９）
前記燃料製造装置が、可搬型であることを特徴とする（８）に記載の燃料製造装置の構成とした。
（１０）
熱媒体粒子を加熱する第一工程と、
バイオマス原材料と第一工程を経て加熱された熱媒体粒子を混合移送しながら前記バイオマス原材料を熱分解する第二工程と、
第二工程のバイオマス原材料の熱分解により発生した有機ガスを分離する第三工程と、
第二工程を経た熱媒体粒子を第一工程に返送する第四工程と、
第三工程で分離した有機ガスを濃縮する第五工程と、
からなることを特徴とする燃料製造方法の構成とした。
（１１）
前記有機ガスを、キャリアーガスによって、又は吸引することで、前記第三工程が行われる位置に自然流出より短時間で移送させることを特徴とする（１０）に記載の
燃料製造方法の構成とした。
（１２）
前記第二工程で発生した有機ガスの前記第二工程内の滞留時間を１０秒以下とすることを特徴とする（１１）に記載の燃料製造方法の構成とした。
（１３）
前記バイオマス原材料が、木材の場合には、前記熱分解温度を、４００℃〜６００℃に制御することを特徴とする（１１）に記載の燃料製造方法の構成とした。
【発明の効果】
【００１０】
本発明は、上記構成であるので、常温、常圧で液化する高分子の燃料を高効率で回収することができるので、常温、常圧で液体である液体燃料を簡易に製造することができる。また、極高圧、極低温でなくとも液化することができるそのため、常圧で輸送・貯蔵可能かつ高発熱量で、低コストのバイオマス燃料の生産が可能で、かつ抽出ガス成分の凝縮・液化も常温程度への冷却でよいので、小型化も可能であり、バイオマス燃料製造のための設置の制限が少なく、移動させることが容易な可搬型となる。
【図面の簡単な説明】
【００１１】
【図１】本発明である燃料製造装置の模式図である。
【図２】バイオマスの熱分解反応の模式図である。
【図３】熱媒体粒子経の違いによる伝熱面接の関係を説明するグラフである。
【図４】液体成分の分解率と時間変化の関係を示すグラフ例である。
【図５】従来の燃料製造装置の模式図である。
【発明を実施するための形態】
【００１２】
以下、添付の図面を参照し、本発明の実施の形態について、詳細に説明する。なお、本発明は下記実施例に限定されるものではない。
【実施例１】
【００１３】
図１に示すように、本発明である燃料製造装置１は、熱媒体加熱部３と、熱分解用搬送部４と、燃料分離部５と、熱媒体回収部６と、液体燃料生成部７と、必要に応じて、木炭気流分離部８と、液体貯溜タンク９、気体燃料１０の貯溜部を備えてなり、バイオマス原材料から常温・常圧環境において液体である液体燃料を高効率で生成、回収して製造する装置である。なお、燃料製造装置１の全体を断熱材で覆い、伝熱効率を上げることもできる。
【００１４】
バイオマス原材料としては、有機物、例えば、木材、作物、食品残渣などが例示できる。木材としては、間伐材、建築廃材、製材屑などが例示できる。これら、廃棄物から、常温・常圧で液体である燃料が高収率で回収できるので、低コストでバイオマス燃料を製造することができる。また、小型であるので、設置場所、移動の制限も少ない、可搬型となる。なお、投入されるバイオマス燃料は水分が少ない状態に乾燥されていることが望ましい。
【００１５】
液体燃料は、重油、軽油成分に相当するもので、図２に示すように、バイオマスの熱分解物で揮発性成分であり、特に、常温・常圧環境下で液体となる液成分を冷却してなるバイオ燃料である。また、使用するバイオマス原材料によっては、加熱により木炭も生成される。
【００１６】
図２に示すように、本発明で得られる液体燃料は、バイオマス成分の熱分解物で、分子量の異なる多種多様な有機物として回収される。バイオマスの分解反応は、初期の熱分解反応によって室温でガスになるガス成分と室温で液体になるが反応温度においては気体である液成分の混合物である揮発性成分と、固体成分である木炭を生成する。
【００１７】
本発明において、回収されるそれぞれの成分の収率は、ガス成分が１０ｍａｓｓ％、液体成分７０ｍａｓｓ％、木炭が２０ｍａｓｓ％程度となる。なお、これからが高温部に長時間滞在すると、室温で液体となる液成分が分解・析出し、液成分の収率の減少、ガス成分および木炭の収率が増加する。
【００１８】
特許文献１では、高温部における揮発性分の滞留時間の確保、および、触媒性を付与した金属製トロイドの接触によって、液成分の分解を促進し、ガス成分の生成を促進するものであり、本発明と根本的な技術思想を異にする。
【００１９】
通常、図２に示すガス成分に相当する有機ガスは、凝縮（液化）温度が常圧において−７０℃度以下であり、液体成分は−７０℃〜４００℃程度の凝縮（液化）温度の性質を指す。ガス成分を液化するためには、大掛かりな設備が必要で、小型な可搬型とすることは困難である。他方、気体状で移送するためには、パイプライン設置などのインフラ整備、輸送コストが高く、低コストのバイオマス燃料の製造はできない。
【００２０】
熱媒体粒子２は、熱媒体加熱部３で加熱され、熱分解用搬送部４でバイオマス現在料と混合、接触し、バイオマス原材料に熱を伝え、バイオマス原材料から熱分解で、図２に示す揮発性成分を発生させる。
【００２１】
熱媒体粒子２の素材としては、発生する揮発性成分を低分子化する触媒作用が小さく、熱に安定で、搬送の障害にならず、破損することがない、バイオマス燃料との接触面積を大きくとれる素材であれば特に限定されない。例えば、金属、酸化金属、セラミックなどが例示でき、金属としては鉄、ステンレス、セラミックスとしてはアルミナなどが例示できる。コスト、加工性、熱安定性、破損しづらさの観点から、金属の鉄、ステンレスが好ましい。
【００２２】
移送手段が、後述のスクリューである場合には、鉄は破損してスクリューの回転を止めることがない。また、熱媒体粒子２が、球形であれば移送を阻害しづらい。
【００２３】
また、バイオマス原材料への熱伝導効率を高めるために、熱媒体粒子２の伝熱面接を大きく確保でき、またスクリュー４ｄとパイプ４ｃとのクリアランスに挟みこまれスクリュー４ｄの回転を阻害しないように、球体の直径は、５ｍｍ程度とするとよい。さらに、伝熱面積の観点から２ｍｍ以下とするとなおよい（図３）。
【００２４】
図３に示すように、伝熱面積比（Ａｐ／Ａｒ）は、熱媒体粒子経が小さくなるほど、反比例して大きくなる。図３のグラフの横軸は熱媒体粒子経（ｍｍ）で、縦軸は伝熱面積比（Ａｐ／Ａｒ）である。図３のグラフは、熱媒体粒子経及びバイオマス原材料を直接接触させ、熱分解させる搬送するパイプ径を０．５ｍ、熱媒体粒子の前記パイプへの充填率を体積比で０．１％として、計算で求めたものである。熱媒体粒子がパイプに充填されていない場合（パイプ壁のみの場合）を基準（Ａｒ）として、何倍になるかを表している。
【００２５】
パイプＤｒの反応装置に粒子径Ｄｐの熱媒体粒子を体積充填率ｅで充填する場合、筒内部の表面積Ａｒおよび熱媒体粒子の表面積Ａｐの比はＡｐ／Ａｒ＝３／２×（Ｄｒ／Ｄｐ）×ｅと表せる。したがって、Ｄｐ＜３／２×Ｄｒ×ｅの場合、熱媒体粒子を用いる事で、伝熱面積は外熱式よりも大きくなり、熱媒体粒子径の減少に伴い、反比例して大きくなる。したがって、有効な伝熱面積を大幅に増大可能となる。従って、熱分解部を小さくできる。
【００２６】
熱媒体加熱部３は、容器３ａと、加熱装置３ｂとからなる。容器３ａ内で熱媒体粒子２のみが加熱される。加熱装置３ｂは、熱媒体粒子２を加熱する装置であり、例えば、熱風の導入、電気ヒータ、火力による直接加熱、スクリーンヒーターなどが例示でき、熱媒体粒子２を加熱することができれば、直接、間接加熱の手段も含め、限定されない。
【００２７】
熱分解用搬送部４のバイオマス熱分解区間でのバイオマスの加熱温度は、加熱装置３ｂによる熱媒体粒子２の加熱温度を制御すればよい。さらに、原材料の投入量、バイオマス原材料と熱媒体粒子の混合物４ｈの量、スクリュー４ｄによる移送速度を制御することでも、混合物４ｈの温度は制御される。
【００２８】
また、熱分解用搬送部４においては、加熱された熱媒体粒子２の熱は、バイオマス原材料から有機ガスが発生する熱分解反応へ吸熱され、また系外へ放熱される。したがって、熱分解用搬送部４の温度は、熱媒体加熱部３で加熱された以上の温度には上昇しない。
【００２９】
熱分解用搬送部４は、熱媒体加熱部３の底部に接続し、熱媒体加熱部３により加熱された熱媒体粒子２を導入する導入口４ａ、導入口４ａの下流側に設けられたバイオマス原材料の投入口４ｂを備えるパイプ４ｃと、加熱された熱媒体粒子２と投入されたバイオマス原材料とを接触させ、攪拌しながら搬送するスクリュー４ｄと、スクリュー４ｄを回転させるモータ４ｅと、熱媒体粒子２とバイオマス原材料の混合物４ｈを熱媒体回収部６に送る連絡路４ｆと、からなり、熱分解区間で投入されたバイオマス原材料を熱分解させ、有機ガスを発生させる。
【００３０】
パイプ４ｃ内の熱分解区間における混合物４ｈの上方には、熱分解で発生した有機ガス（図２の揮発性成分）をすばやく燃料分離部５に流すために流路となる空間４ｇを確保するとよい。
【００３１】
空間４ｇは、バイオマスから発生した有機ガスと熱媒体粒子２との直接接触を低減させる効果と、燃料分離部５に素早く流す作用があり、図２における揮発性成分の内の液成分がガス成分への分解を抑制させることの要因の一つでもある。空間４ｇは、大きい程、有機ガスの分解を抑制できる。
【００３２】
なお、本発明で、液成分からガス成分への分解が抑制され、液成分（常温・常圧で液体の液体燃料の気化物）を高収率で回収するためには、発生した有機ガスを素早く燃料分離部５に送ることが最も重要である。そのためには、有機ガスの低分子化を抑制するためには、パイプ４ｃ内での滞留時間を短くすることである。
【００３３】
図４は、有機ガスであるフランの５００℃における保持時間と分解率の関係を示すグラフである。縦軸分解率（減少率）、横軸が保持時間である。
【００３４】
図４に示すように、パイプ４ｃ内での有機ガスの滞留時間が短いほど、液体成分の分解率は低く抑えられる。例えば、滞留時間が１０秒程度であれば、分解率は、２０〜３０％で、８０％〜７０％の発生した有機ガスの液成分は残存する。
【００３５】
即ち、空間４ｇ体積が小さくとも、燃料分離部側の下流への吸引、或いはキャリアーガスによる追い出しによって、発生した有機ガスが自然流出（流速非調整）より短時間でパイプ４ｃ内から流出すれば、分子量の低い有機ガスへの熱分解を極力抑制することができる。キャリアーガスの導入には、パイプ４ｃ内の上流側からキャリアーガスを送風機などで導入すること、パイプ４ｃ内の下流側に有機ガスを吸引する引き抜きポンプを備えればよい。なお、発生した有機成分を吸引すると、パイプ４ｃ内部で圧力低下が起こり、パイプ４ｃなどの装置内部の気密性確保の構造を別途考慮する必要がある。但し、内部圧力が低いと有機ガスの生成を促進する効果もある。
【００３６】
熱分解区間での加熱温度は、バイオマス原材料を熱分解して有機ガス、特に液成分の揮発性ガスを高効率で生成させる温度とする。バイオマス原材料の種類により、至適加熱温度は異なるが、概ね、２００〜７００℃が好ましく、バイオマス原材料が木材の場合には４００℃〜６００℃に制御するとよい。
【００３７】
燃料分離部５は、熱分解用搬送部４の終端部に接続し熱分解用搬送部４で生成した有機ガスを通す流路５ｂと、流路５ｂの他端に接続し有機ガス成分（気化ガス）と固体燃料成分（木炭）とを分離し、有機ガス成分を冷却し液化させる液体燃料生成部７に流し、固体燃料成分を排出する本体５ａとからなる。本体５ａとして、例えば、既知のサイクロンが採用できる。
【００３８】
なお、ここで回収される木炭は、浮遊して流路５ｂに流れた木炭成分であって、流路５ｂフィルタを設けることでサイクロンを通すことなく、液体燃料生成部７で液化して液体燃料にすることもできる。）
【００３９】
熱媒体回収部６は、端部が連絡路４ｆに接続し、他端部が熱媒体加熱部３に連絡する第二パイプ６ａと、熱馬体粒子を移送する例えば第二スクリュー６ｂと、第二スクリュー６ｂを回転させる第二モータ６ｃとからなり、熱分解用搬送部４を通過した加熱された熱媒体粒子２を熱媒体加熱部３に返送する。移送する手段としては、コンベアであってもよい。
【００４０】
液体燃料生成部７は、燃料分離部５の下流に位置し、有機ガスを液化する。例えば、冷却、加圧する装置である。有機ガスを室温程度に冷却することで、液体燃料が回収される。回収された液体燃料は、常温・常圧で、液体貯溜タンク９に送られ、貯溜され、使用場所に移送される。液体燃料は、常温・常圧で液体であるため、移送が容易である。
【００４１】
他方、液体燃料生成部７で、液化されなかった気体燃料１０は、使用場所にパイプライン移送されるか、タンクなどに圧縮貯溜してもよい。可搬型の場合には、圧縮装置、パイプライン移送が小型化を阻害するため、常温・常圧で気体の気体燃料は貯溜することなく、大気中に排気、あるいは燃焼して利用してもよい。
【００４２】
木炭気流分離部８は、熱媒体回収部６と熱媒体加熱部３の間に配置され、バイオマス原材料が加熱されて生成する木炭と熱媒体粒子２を気流で分離し、木炭を系外に排出するとともに、熱媒体粒子２を熱媒体加熱部３に返送する。
【００４３】
このようにしてなる燃料製造装置１では、熱媒体粒子２は、熱媒体加熱部で再加熱され、導入口４ａから熱分解用搬送部４に再導入され、熱媒体粒子２は循環使用される。
【産業上の利用可能性】
【００４４】
本発明は、バイオマス原材料、例えば、木材、建築廃材、作物、食品残渣から、常温・常圧で液体燃料を生産することができる。よって、間伐材、製材屑を利用することができ、林業分野への応用が期待される。建築廃材を利用することもできるので建築分野での応用も利用できる。また、廃棄物の減容化が可能となり、環境分野での期待も大きい。加えて、生成された燃料を、各種工業分野において低コストで利用することもできる。燃料の他に、多種の化学物質も抽出することができるので、化学分野でも利用できる。
【００４５】
また、本発明は、小型化、大型化も自在で、小型であれば、小規模農家、間伐現場、建設現場に設置、利用できる可搬式であるので、燃料製造の場所をとらわれず、利用場所の制限が小さく、製造コスト、移送コストの低い燃料の製造が可能である。
【符号の説明】
【００４６】
１      燃料製造装置
２      熱媒体粒子
３      熱媒体加熱部
３ａ    容器
３ｂ    加熱装置  
４      熱分解用搬送部
４ａ    導入口
４ｂ    投入口  
４ｃ    パイプ
４ｄ    スクリュー
４ｅ    モータ
４ｆ    連絡路
４ｇ    空間
４ｈ    混合物
５      燃料分離部
５ａ    本体
５ｂ    流路
６      熱媒体回収部
６ａ    第二パイプ
６ｂ    第二スクリュー
６ｃ    第二モータ
７      液体燃料生成部
８      木炭気流分離部
９      液体貯溜タンク
１０    気体燃料
【図１】
2015105344.tif 000003
【図２】
2015105344.tif 000004
【図３】
2015105344.tif 000005
【図４】
2015105344.tif 000006
【図５】
2015105344.tif 000007